(57)【特許請求の範囲】
【請求項１】
被検体の拍動に関連する拍動信号を検出する拍動検出装置であって、
前記拍動信号を含む脈波信号を出力する脈波センサーと、
前記脈波センサーへの入力信号または前記脈波信号の強度に基づいて、前記脈波センサーの感度を調整する脈波センサー感度調整部と、
前記被検体の体動を検出し、前記体動に関連する体動センサー信号を出力する体動センサーと、
前記脈波センサー感度調整部によって調整された前記脈波センサーの感度と前記体動センサーから出力される前記体動センサー信号とに基づいて、前記拍動検出装置が前記被検体から外されている放置状態を検出する放置検出部と、
前記脈波信号、または前記脈波信号に含まれるノイズを抑制するフィルタリングを施して得られるフィルタリング後信号の少なくとも一方に基づいて、所定時間毎に周波数解析を実行する周波数解析部と、を有し、
前記放置検出部は、前記脈波センサー感度調整部によって調整された前記脈波センサーの感度が、前記拍動信号が検出されているときに取り得る許容範囲の外の感度であり、
前記体動センサーから出力される前記体動センサー信号のレベルが、前記被検体の体動が無いと判断される範囲内にあり、
前記脈波信号の周波数解析の結果として得られる周波数スペクトルに第１の閾値以上のスペクトルが無く、
かつ、前記周波数スペクトルに基づいて、前記脈波信号に含まれるノイズ量の程度が、所定量以上と判断された場合に、前記放置状態を検出することを特徴とする拍動検出装置。
【請求項２】
請求項１記載の拍動検出装置であって、
前記放置検出部は、
前記脈波センサー感度調整部によって調整された前記脈波センサーの感度が、前記拍動信号が検出されているときに取り得る許容範囲の外の感度であり、
前記体動センサーから出力される前記体動センサー信号のレベルが、前記被検体の体動が無いと判断される範囲内にあり、
かつ、前記脈波信号の周波数解析の結果として得られる周波数スペクトルに第１の閾値以上のスペクトルが無い場合に、前記放置状態と判断することを特徴とする拍動検出装置。
【請求項３】
請求項１または請求項２記載の拍動検出装置であって、
前記放置検出部は、前記所定時間毎に前記放置状態の検出を実行し、前記放置状態でないと判断し、かつ、前記所定時間前に前記放置状態と判断したときは、前記周波数スペクトルに第２の閾値以上のスペクトルが有る場合には前記放置状態でないと判断し、前記周波数スペクトルに前記第２の閾値以上のスペクトルが無い場合には前記放置状態と判断することを特徴とする拍動検出装置。
【請求項４】
請求項１〜請求項３のいずれかに記載の拍動検出装置であって、
前記放置検出部は、前記所定時間毎に前記放置状態の検出を実行し、前記放置状態と判断したときは、前記所定時間以前の前記脈波信号の周波数解析結果および前記脈波信号の周波数解析に使用される前記拍動信号の周波数の傾向を示す情報の少なくとも一方を破棄させることを特徴とする拍動検出装置。
【請求項５】
請求項１〜請求項４のいずれかに記載の拍動検出装置であって、
前記拍動検出装置は、前記被検体の生体情報、および被検体の運動に関する付随的情報の少なくとも一方を取得する被検体情報取得部を有し、
前記放置検出部は、前記放置状態を検出したときは、前記被検体情報取得部の動作を停止させることを特徴とする拍動検出装置。
【請求項６】
請求項１〜請求項５のいずれかに記載の拍動検出装置であって、
前記放置検出部は、前記放置状態を検出したときは、前記周波数解析部による周波数解析動作を停止させることを特徴とする拍動検出装置。
【発明の詳細な説明】
【技術分野】
【０００１】
本発明は、拍動検出装置等に関する。
【背景技術】
【０００２】
拍動検出装置は、人体の心拍に由来する拍動を検出するための装置であって、例えば、腕、手のひら、手指などに装着される脈波センサーからの信号（脈波信号）から、人体の体動の影響により発生する信号成分（体動影響信号）を雑音として除去し、心拍に由来する信号（拍動信号）を検出する装置である。
【０００３】
人の指や手首に装着するタイプの脈拍計は、例えば、特許文献１〜特許文献３に記載されている。
【０００４】
また、脈拍計に加速度センサーを搭載し、脈拍計を、運動量計あるいは歩数計等の運動計測機能も備えた生体情報計測装置として使用する例は、例えば特許文献４に記載されている。このような生体情報計測装置を用いることで、被計測者は運動中に自身のペース配分を管理したり、運動後に消費カロリーを確認するなどして運動量を把握したりすることが可能である。
【０００５】
また、特許文献５には、加速度センサーやジャイロセンサーの出力信号に基づいて、被検体の動きの有無を判断する技術が開示されている。
【先行技術文献】
【特許文献】
【０００６】
【特許文献１】特開２００５−１９８８２９号公報
【特許文献２】特開２００７−５４４７１号公報
【特許文献３】特開２００５−１３１４２６号公報
【特許文献４】特開２００５−２１１３０１号公報
【特許文献５】特開２０１０−９８３５６号公報
【発明の概要】
【発明が解決しようとする課題】
【０００７】
拍動検出装置が被検体（人や動物）の拍動検出動作を行っているときに、被検体が拍動検出装置を取り外して放置する場合がある。このような場合でも、拍動検出装置は、例えば、過去に検出した拍動信号の周波数の傾向を示す情報等を参照して、拍動成分を特定するための処理を続行する。この結果として、例えば、拍動成分に似た挙動を示す偶発的なノイズ成分を拍動成分として誤検出し、誤った脈拍数の情報を表示したり、脈拍数に基づいて、被検体の運動による消費カロリー等を計算して表示したりする、という不都合が生じる場合がある。
【０００８】
また、拍動検出装置が放置状態にあるにもかかわらず、脈拍数（被検体の生体情報）等や、消費カロリー（被検体の運動に関する付随的情報）等の表示（被検体への報知）のための処理が続行されると、消費電力が増大する。
【０００９】
特許文献４や特許文献５に示される技術によれば、拍動検出装置が、被検体の動作の有無を一応は検出できる。しかし、例えば、被検体が安静状態であるとき、特に被検体が睡眠中であるときのように、被検体がまったく動いていないときには、拍動検出装置が、被検体から取り外されているのか、あるいは、被検体の動きがないだけなのか、の判断が困難である場合がある。
【００１０】
また、放置状態の検出方法として、拍動検出装置本体への押圧力を圧力センサー等で検出したり、拍動検出装置のアース（接地）状態を検出したりする方法が考えられる。しかし、これらの方法を採用する場合、放置検出のための特別な構成（特別な構造）が必要となる。また、例えば、拍動検出装置のアース部（接地部）を金属に接触させた場合と、人に接触させた場合とで、アース部が検出するアース電位が似ていることから、放置状態を正確に検出することができない場合もあり得る。
【００１１】
本発明の少なくとも一つの態様によれば、例えば、拍動検出装置が放置状態にあることを検出することができる。また、例えば、特別な構成を使用することなく、拍動検出装置の放置状態を高い確度で検出することができる。
【課題を解決するための手段】
【００１２】
（１）本発明の拍動検出装置の一態様は、被検体の拍動に由来する拍動信号を検出する拍動検出装置であって、前記拍動信号を含む可能性がある脈波信号を出力する脈波センサーと、前記脈波センサーへの入力信号または前記脈波信号の強度に基づいて、前記脈波センサーの感度を調整する脈波センサー感度調整部と、前記被検体の体動を検出し、前記体動に由来する体動センサー信号を出力する体動センサーと、前記脈波センサー感度調整部によって調整された前記脈波センサーの感度と前記体動センサーから出力される前記体動センサー信号とに基づいて、前記拍動検出装置が前記被検体から外されている放置状態を検出する。
【００１３】
本態様では、放置検出部は、脈波センサー感度調整部によって調整された前記脈波センサーの感度と、体動センサーから出力される体動センサー信号と、に基づいて、拍動検出装置の放置状態を検出する。
【００１４】
拍動検出装置が被検体に装着されて、拍動検出処理が実行されている状態では、脈波センサー感度調整部によって設定される感度は、通常の計測時に生じる範囲内の値となっている。これに対して、拍動検出装置が、被検体から取り外されて放置されている場合、感度は、通常の計測時に生じる範囲（許容範囲）から外れた値となっている可能性が高い。
【００１５】
すなわち、拍動検出装置が、例えば机上に放置されているとき、室内の照明光や窓等から差し込む室外の光（これらを総称して外光ということができる）が、脈波センサーに入射する可能性が高い。外光は直接に拍動検出装置に入射されるが、拍動検出に使用される光は、血管で反射した反射光（散乱光でもあり、間接的に入射される光）である。よって、直接光である外光のレベルは、拍動検出に使用される反射光のレベルに比べて高い場合が多い。また、拍動検出装置が、例えば、机の引き出しや鞄の中に収納されているような場合、外光はほとんど遮断されていることから、外光のレベルは零に近い。つまり、この場合には、外光のレベルが、拍動検出に使用される反射光のレベルに比べて十分に低い状態となる。
【００１６】
つまり、拍動検出装置が放置状態にあるとき、脈波センサーに入射する光の強度（光のレベル）は、通常の検出処理時にはあり得ない範囲の強度（レベル）となる可能性が高い。このとき、脈波センサーの感度も、通常の計測時に生じる範囲（許容範囲）から外れた値となっている。よって、脈波センサー感度調整部によって設定された、脈波センサーの感度は、拍動検出装置の放置状態を検出するための有力な情報として使用することができる。
【００１７】
また、拍動検出装置が放置状態にあるとき、体動がないため、体動センサーから出力される体動センサー信号(被検体の体動由来の信号）のレベルは、零とみなせる範囲内のレベルであると考えられる。
【００１８】
よって、本態様では、脈波センサーの感度と、体動センサー信号とに基づいて、拍動検出装置の放置状態を判断することとした。例えば、感度も、通常の計測時に生じる範囲（許容範囲）から外れた値となっており、かつ、体動センサー信号のレベルが、零とみなせる範囲内のレベル（つまり、体動無しとみなし得るレベル）であるとき、放置検出部は、拍動検出装置は放置状態にあると判断する。
【００１９】
本態様では、脈波センサー感度調整部によって調整された脈波センサーの感度を参照し、さらに、体動センサー信号の大きさの情報を併用して放置状態を判断することから、確度の高い放置状態の判断が可能である。また、特別な構成を使用せずに、拍動検出装置の放置を検出することができる。
【００２０】
（２）本発明の拍動検出装置の他の態様は、前記放置検出部は、前記脈波信号、または、前記脈波信号に、前記脈波信号に含まれるノイズを抑制するフィルタリングを施して得られるフィルタリング後信号に基づいて、所定時間毎に周波数解析を実行する周波数解析部を有し、前記脈波センサー感度調整部によって調整された前記脈波センサーの感度と、前記体動センサーから出力される前記体動センサー信号と、さらに、前記周波数解析部による、前記脈波信号の周波数解析の結果と、に基づいて、前記放置状態を検出する。
【００２１】
本態様では、放置検出部は、脈波センサーの感度、体動センサー信号に加えて、さらに、周波数解析部による、脈波信号の周波数解析の結果を参照して、拍動検出装置の放置状態を判断する。これにより、放置検出の精度がより向上する。
【００２２】
拍動検出装置が被検体に装着されていて、拍動検出処理が行われているとしたとき、脈波センサーから出力される脈波信号には、被検体の拍動に由来する、周期性をもつ拍動信号、ならびに被検体の、周期性のある体動に由来する周期性のある体動センサー信号が含まれていると考えられる。
【００２３】
脈波信号を周波数分解して周波数スペクトルを解析したとき、周期性のある信号は、周波数軸上での特定の周波数位置に現れる。よって、例えば、信号値が大きな拍動信号の周波数スペクトルが存在する場合には、拍動検出装置の状態は、非放置状態である可能性が高い。
【００２４】
また、信号値が大きな拍動信号と信号値が大きな体動センサー信号とが併存している周波数スペクトルは、被検体が定常的（周期的）な運動状態（例えば、被検体が腕を規則的に振りながら一定のピッチでウォーキングしている状態）にあるときに現れる。よって、例えば、信号値が大きな拍動信号と信号値が大きな体動センサー信号とが併存している周波数スペクトルが現れたときは、拍動検出装置は、非放置状態である可能性が高い。
【００２５】
一方、脈波信号の周波数解析の結果として得られる周波数スペクトルに、所定の閾値以上のスペクトルが無い場合、すなわち、被検体の拍動や運動状態についての有効な情報をもつスペクトル（有意なスペクトル）が何ら存在しない場合には、拍動検出装置は、放置状態にある可能性がある。
【００２６】
このように、周波数解析部による、脈波信号の周波数解析の結果も参照して放置状態を判断することによって、放置状態／非放置状態の判断の精度を高めることができる。
【００２７】
（３）本発明の拍動検出装置の他の態様は、前記放置検出部は、前記脈波センサー感度調整部によって調整された前記脈波センサーの感度が、前記拍動信号が検出されているときに取り得る許容範囲の外の感度であり、前記体動センサーから出力される前記体動センサー信号のレベルが、前記被検体の体動が無いと判断される範囲内にあり、かつ、前記脈波信号の周波数解析の結果として得られる周波数スペクトルに第１の閾値以上のスペクトルが無い場合に、前記放置状態と判断する。
【００２８】
本態様では、放置検出部の判断の一例が明確化される。本態様では、放置検出部は、脈波センサーの感度が、拍動信号が検出されているときに取り得る許容範囲の外の値であり、体動センサーから出力される体動センサー信号のレベルが、被検体の体動が無いと判断される範囲内にあり、かつ、脈波信号の周波数解析の結果として得られる周波数スペクトルに第１の閾値以上のスペクトルが無い場合に、前記拍動検出装置は放置状態にあると判断する。
【００２９】
本態様によれば、特別な構成を使用することなく、拍動検出装置の放置状態を高い確度で検出することができる。
【００３０】
（４）本発明の拍動検出装置の他の態様は、前記放置検出部は、前記脈波センサー感度調整部によって調整された前記脈波センサーの感度が、前記拍動信号が検出されているときに取り得る許容範囲の外の感度であり、前記体動センサーから出力される前記体動センサー信号のレベルが、前記被検体の体動が無いと判断される範囲内にあり、前記脈波信号の周波数解析の結果として得られる周波数スペクトルに第１の閾値以上のスペクトルが無く、かつ、前記周波数スペクトルに基づいて、前記脈波信号に含まれるノイズ量の程度が、所定量以上と判断された場合に、前記放置状態と判断する。
【００３１】
本態様では、上記（３）の態様において、「脈波信号の周波数解析の結果として得られる周波数スペクトルに所定の閾値以上のスペクトルが無い」という条件を、「脈波信号の周波数解析の結果として得られる周波数スペクトルに基づいて、脈波信号のノイズ量の程度を、例えばノイズ少、中程度ならびにノイジーに分類したとき、中程度またはノイジーに分類される」という条件に置換している。
【００３２】
脈波信号のノイズ量の程度が「ノイズ少」と判断される場合としては、例えば、被検体が定常的（周期的）な運動状態（例えば、規則的な腕振りをしながらウォーキングをしている状態）にある場合や、被検体が安静状態にある場合が該当する。
【００３３】
脈波信号のノイズ量の程度が「中程度（まあまあ）」と判断される場合としては、例えば、被検体が定常的運動をしている（例えば、規則的な腕振りをしながらウォーキングをしている）が、手首を不規則に動かす等の非周期的な運動も行っている状態などが該当する。
【００３４】
このような場合の周波数スペクトルの状態は、例えば、信号値が所定閾値を超える拍動信号および体動センサー信号が併存し、さらに、外乱ノイズ（周期性のないノイズ）が周波数軸上で広範囲にわたって存在する、というような状態となる。
【００３５】
脈波信号のノイズ量の程度が「ノイジー」と判断される場合としては、例えば、被検体が、不規則な体操やバスケットボール等の球技を行っている状態が該当する。この場合、例えば、脈波信号の周波数スペクトルにおいて、周波数軸上の広範囲な位置に、外乱ノイズ判断用の所定閾値を超える信号値をもつ外乱ノイズが現れることが多い。
【００３６】
上記の３分類の中で、少なくとも、脈波信号の状態が「ノイズ少」である場合は、拍動検出装置は、被検体に装着され、非放置である可能性が極めて高い。但し、脈波信号の状態が「中程度」あるいは「ノイジー」の場合としては、「拍動検出装置が放置状態で、かつ、何らかの理由で大きなノイズが生じた場合」も想定できる。
【００３７】
よって、本態様では、放置検出部は、脈波センサーの感度が、拍動信号が検出されているときに取り得る許容範囲の外の値であり、体動センサーから出力される体動センサー信号のレベルが、被検体の体動が無いと判断される範囲内にあり、かつ、脈波信号のノイズ量の程度が、中程度またはノイジーに分類される場合に、拍動検出装置は放置状態にあると判断する。なお、脈波信号のノイズ量の程度の判断の指標としては、主要なスペクトルの中から選ばれる２本のスペクトルの信号値の比、あるいは統計情報（標準偏差と偏差値等）などがある。
【００３８】
本態様によれば、特別な構成を使用することなく、拍動検出装置の放置状態を、より高い確度で検出することができる。また、本態様によれば、放置検出部は、被検体が、例えば、安静状態（非定常運動要素無し）にあるときと、拍動検出装置が放置状態にあるときとを、区別することができる。
【００３９】
（５）本発明の拍動検出装置の他の態様では、前記放置検出部は、前記所定時間毎に前記放置状態の検出を実行し、前記放置状態でないと判断し、かつ、前記所定時間前に前記放置状態と判断したときは、前記周波数スペクトルに第２の閾値以上のスペクトルが有る場合には前記放置状態でないと判断し、前記周波数スペクトルに前記第２の閾値以上のスペクトルが無い場合には前記放置状態と判断する。
【００４０】
本態様では、放置状態が解除されたことの判断の一例を明確化している。上述の（３）および（４）の態様において、前回の検出処理によって放置状態と判断され、かつ今回の検出処理によって非放置状態と判断されたとき、直ちに放置状態が解除された（放置状態から装着状態に移行した）と判断するのは、判断を誤る可能性が高い。例えば、拍動検出装置が机上に放置されている状態において、近くを人が通過したことによって、脈波センサーに入射する光の強度が偶然、変動し、これによって、脈波信号の状態が、拍動検出装置が被検体に装着されたときの信号状態に近似した状態となる場合がある。
【００４１】
そこで、本態様では、一旦、放置状態であると判断され、次に、非放置状態（装着状態）と判断されたときは、放置検出部は、さらに、追加の条件による判断を実行することとした。すなわち、脈波信号の周波数解析の結果として得られる周波数スペクトルに第２の閾値以上の（大きさの）スペクトルが有るか否かを調べ、有る場合には非放置状態と判断し、無い場合には放置状態と判断する。
【００４２】
本態様では、放置状態が解除されたことの判断に際して、条件を加重し、より慎重に判断している。よって、判断を誤る可能性が低減される。
【００４３】
（６）本発明の拍動検出装置の他の態様では、前記放置検出部は、前記所定時間毎に放置検出を実行し、今回の検出処理によって前記拍動検出装置の放置状態を検出したときは、過去の前記脈波信号の周波数解析結果および前記脈波信号の周波数解析に使用される前記拍動信号の周波数の傾向を示す情報の少なくとも一方を破棄させる。
【００４４】
拍動信号の検出は、過去の周波数解析結果や、過去の拍動信号の周波数傾向等に基づいて行われるため、拍動信号の誤検出が生じると、それ以降、ノイズ成分に追従した誤った検出処理が続行される可能性がある。
【００４５】
そこで、本態様では、放置検出部は、今回の検出によって拍動検出装置の放置状態が検出されると、過去の脈波信号の周波数解析結果および脈波信号の周波数解析に使用される拍動信号の周波数の傾向を示す情報の少なくとも一方を破棄させる。これによって、放置されていた拍動検出装置が、被検体に再び装着された場合、拍動検出装置は、例えば初期状態から拍動検出処理を開始することができる。よって、拍動信号を正確に検出することができる。
【００４６】
（７）本発明の拍動検出装置の他の態様では、前記拍動検出装置は、前記被検体の生体情報、および被検体の運動に関する付随的情報の少なくとも一方を取得する被検体情報取得部を有し、前記放置検出部は、前記放置状態を検出したときは、前記被検体情報取得部の動作を停止させる。
【００４７】
拍動検出装置が放置状態にあるにもかかわらず、脈拍数（被検体の生体情報）等や、消費カロリー（被検体の運動に関する付随的情報）等の表示（被検体への報知）のための処理が続行されると、消費電力が増大する。
【００４８】
そこで、本態様では、放置検出部は、拍動検出装置の放置状態が検出されたときは、被検体情報取得部（被検体の生体情報、および被検体の運動に関する付随的情報の少なくとも一方を取得する機能をもつ）の動作を停止させる。これによって、無駄な電力消費が生じない。また、誤った情報の表示（広義には報知）も防止される。
【００４９】
なお、「被検体情報取得部の動作を停止させる」ことには、例えば、情報取得動作を行わせないこと、あるいは、被検体情報取得部の電源をオフにして、動作自体ができないようにすることを含む。電源をオフする方が消費電力の削減効果が高い。
【００５０】
（８）本発明の拍動検出装置の他の態様では、前記放置検出部は、前記放置状態を検出したときは、前記周波数解析部による周波数解析動作を停止させる。
【００５１】
拍動検出装置が放置状態にあるときに、周波数解析を実行したとしても、有意な周波数スペクトルを得ることはできない。そこで、本態様では、放置検出部は、拍動検出装置の放置状態が検出されたときは、周波数解析部による周波数解析動作を停止させる。これによって、無駄な電力消費が生じない。また、誤った情報の表示（広義には報知）も防止される。なお、「周波数解析部の周波数解析動作を停止させる」ことには、例えば、周波数解析処理を行わせないこと、あるいは、周波数解析部の周波数解析処理を実行する部分の電源をオフにして、動作自体ができないようにすることを含む。電源をオフする方が消費電力の削減効果が高い。
【００５２】
このように、本発明の少なくとも一つの態様によれば、例えば、拍動検出装置が放置状態にあることを検出することができる。また、例えば、特別な構成を使用することなく、拍動検出装置の放置状態を高い確度で検出することができる。
【図面の簡単な説明】
【００５３】
【図１】発明の拍動検出装置の一例の構成を示す図
【図２】図２（Ａ）および図２（Ｂ）は、脈波センサーの感度調整動作を説明するための図
【図３】ノイズ成分を多く含む脈波信号の周波数スペクトルの一例を示す図
【図４】図４（Ａ）〜図４（Ｃ）は、脈波信号に含まれる外乱ノイズに着目した脈波信号のノイズ量の程度の評価例と、各評価例に対応する運動状態の評価例を示す図
【図５】拍動検出装置における、放置検出処理を含む処理フローの一例を示すフローチャート
【図６】放置検出処理の処理フローの一例を示すフローチャート
【図７】図７（Ａ）および図７（Ｂ）は、図６の処理フローのステップＳＴ１６において、Ｙと判断される例、ならびにＮと判断される例を示す図
【図８】図８（Ａ）および図８（Ｂ）は、図６の処理フローのステップＳＴ１７において、Ｙと判断される例、ならびにＮと判断される例を示す図
【図９】拍動検出装置による、脈拍の計測例を示す図
【図１０】図１０（Ａ）および図１０（Ｂ）は、拍動検出装置の、被検体への装着例を示す図
【発明を実施するための形態】
【００５４】
以下、図面を参照して、具体的に説明する。なお、以下に説明する本実施形態は、特許請求の範囲に記載された本発明の内容を不当に限定するものではない。また、本実施形態で説明される構成の全てが、本発明の必須構成要件であるとは限らない。
【００５５】
（第１実施形態）
図１は、本発明の拍動検出装置の一例の構成を示す図である。図１に示される拍動検出装置１００は、被検体（人や動物を含む）の拍動に由来する拍動信号、拍動信号に対応する心拍等の生体情報等を検出するセンサー装置の一種である。
【００５６】
ここで、拍動とは、医学的には心臓のみならず内臓一般の周期的な収縮、弛緩が繰り返された場合に起こる運動のことをいう。ここでは、心臓が周期的に血液を送るポンプとしての動きを拍動と呼ぶ。なお、心拍数とは、１分間の心臓の拍動の数をいう。また、脈拍数は、末梢血管における脈動の数をいう。心臓が血液を送り出す際に、動脈に脈動が生じるので、この回数を数えたものを脈拍数あるいは単に脈拍と呼ぶ。腕で脈を計測する限りは、医学的には心拍数とは呼ばずに脈拍数と呼ぶのが通常である。また、以下の説明では、体動という用語が使用される。
【００５７】
ここで、「体動」とは、広義には、体を動かすことすべてを意味する。体動センサー信号は、この広義の体動に由来する信号である。体動センサー信号には、被検体の周期的な体動に伴う信号成分である体動信号（定常ノイズに相当する）が含まれる。体動信号（あるいは体動成分）というときの「体動」は、「周期性のある体動」という意味の、狭義の体動である。被検体の周期的な体動は、例えば、歩行・ジョギングなどに伴う周期的、つまり定常的な腕の動き等である。
【００５８】
（全体構成）
図１に示される拍動検出装置１００は、拍動信号、周期性を有する定常ノイズおよび周期性を有さない非定常ノイズの少なくとも一つを含む可能性がある脈波信号ｄを出力する脈波センサー１０と、脈波センサー感度調整部６と、脈波信号蓄積部（４秒分の脈波信号ｄのデータを蓄積する第１バッファメモリー１３および１６秒分の脈波信号ｄのデータを蓄積する第２バッファメモリー１５を有する）１２と、適応フィルター３２および体動成分除去フィルター３４を含むフィルター部３０と、体動センサー（加速度センサーやジャイロセンサー等）２０と、体動センサー信号蓄積部２２と、周波数解析部５０と、放置検出部７０（回路状態判断部７２、体動判断部７４、脈波信号状態判断部７６、放置状態判断部７８、動作停止部８２を含む）と、履歴格納部８４と、被検体情報取得部（脈拍数・消費カロリー算出部）９０と、表示処理部９２と、表示部９４と、を有する。
【００５９】
周波数解析部５０は、信号分配部３９と、第１周波数分解部４０ａ、第２周波数分解部４０ｂ、第３周波数分解部４０ｃと、周波数傾向情報４４を蓄積している脈波信号解析部４２と、後処理部６０（ピーク順ソート部６２、相関判定部６４、拍動／体動分離部６６、拍動呈示スペクトル特定部６８とを含む）と、拍動呈示スペクトル捕捉処理部８０と、を有する。
【００６０】
脈波センサー１０は、例えば、光電脈波センサー及びその原理に基づく脈波センサーである。脈波センサー１０は、拍動信号を含む可能性がある脈波信号ｄを出力する。脈波センサー１０は、ＬＥＤ等の光源（図１では不図示）と、光源の出力光が、生体情報源である血管（図１では不図示）で反射して生じる反射光を受光して電気信号に変換する光電変換部２と、光電変換部２の出力信号を増幅する増幅器（可変利得アンプ）４と、を有する。脈波センサー１０の感度は、増幅器４の増幅率（ゲイン）によって決定される。増幅器４のゲイン、すなわち、脈波センサー１０の感度は、脈波センサー感度調整部６によって調整することができる。脈波センサー感度調整部６は、例えば、増幅器のゲインを自動調整するＡＧＣ回路（自動利得制御回路）によって構成される。以下の説明では、脈波センサー感度調整部６を、単に感度調整部６という場合がある。
【００６１】
感度調整部６は、脈波センサー１０への入力信号または脈波信号ｄの強度（レベル）に基づいて、脈波センサー１０の感度（すなわち、増幅器４のゲイン）を調整する。例えば、脈波センサー１０への入力信号の強度（レベル）に基づいて、脈波センサー１０の感度（増幅器４のゲイン）を調整する場合には、感度調整部６は、脈波信号ｄのレベルが所定レベルになるように脈波センサー１０の感度（増幅器４のゲイン）を調整（制御）することができる（フィードフォワード方式）。また、例えば、脈波センサー１０から出力される脈波信号ｄの強度（レベル）に基づいて、脈波センサー１０の感度（増幅器４のゲイン）を調整する場合には、感度調整部６は、脈波信号ｄのレベルが所定レベルになるように脈波センサー１０の感度（増幅器４のゲイン）を調整（制御）することができる（フィードバック方式）。以下の説明では、フィードバック方式の回路（ＡＧＣ回路）を用いる例について説明する。
【００６２】
また、体動センサー２０は、被検体の体動を検出し、体動に由来する体動センサー信号ｆを出力する。
【００６３】
脈波センサー１０から出力される脈波信号ｄの、４秒分の信号が、第１バッファメモリー１３に蓄積される。４秒分の脈波信号ｄは、４秒周期で、第２バッファメモリー１５に転送される。第２バッファメモリー１５はＦＩＦＯ（ファーストイン・ファーストアウト）メモリーであり、１６秒分の脈波信号は、４秒分ずつ更新される。１６秒分の脈波信号を蓄積するのは、周波数解析によって拍動成分を特定するとき、ある程度の時間幅で信号の推移を観測し、相関の有無等を慎重に検討する必要があるからである。
【００６４】
フィルター部３０は、入力信号に含まれるノイズを最小化する。また、体動成分除去フィルター３４によって、例えば、脈波信号ｄに含まれる体動に由来する信号成分が最小化される。
【００６５】
周波数解析部５０は、脈波信号ｄ、または、脈波信号ｄに、脈波信号に含まれるノイズを抑制するフィルタリング（フィルター部３０による）を施して得られるフィルタリング後信号ｅに基づいて、所定時間毎（例えば４秒毎）に周波数解析を実行する。さらに、拍動信号を示す拍動呈示スペクトルを特定してもよい。
【００６６】
信号分配部３９は、フィルター後信号ｅを第１周波数分解部（高速フーリエ変換部：ＦＦＴ）４０ａに供給し、フィルター前の脈波信号ｄを第３周波数分解部４０ｃに供給する。また、体動センサー信号ｆは第２周波数分解部４０ｂに供給される。
【００６７】
後処理部６０は、周波数スペクトルをスペクトル値の大きい順にソーティングするピーク順ソート部６２と、ピーク順が上位の主要なスペクトルと、直近の過去（例えば４秒前）の拍動信号のスペクトルとの相関判定を実行する相関判定部６４と、相関判定の結果を利用して拍動信号とノイズ成分とを分離する拍動／ノイズ分離部と６６と、拍動／ノイズ分離処理によってノイズから分離された拍動成分のスペクトルを、拍動呈示スペクトルとして特定する拍動呈示スペクトル特定部６８と、を有する。
【００６８】
拍動呈示スペクトルの特定に成功すると、被検体情報取得部（脈拍数・消費カロリー算出部）９０は、被検体の生態情報である脈拍数、および、被検体の運動に関する付随的情報である消費カロリーの少なくとも一方を算出する。脈拍数は、例えば、拍動呈示スペクトルの周波数に基づいて算出される。また、消費カロリーは、脈拍数に基づいて算出される。
【００６９】
算出された被検体情報（脈拍数および消費カロリーの少なくとも一方）は、被検体情報取得部（脈拍数・消費カロリー算出部）９０から表示処理部９２を経由して表示部９４に供給される。この結果、例えば、脈拍数や消費カロリーを示す数値が、表示部９４によって表示される。なお、脈拍数ではなく、検出した脈の、時間軸上における変化を信号波形やグラフの形式で表示（広義には報知）してもよい。
【００７０】
周波数解析部５０に含まれる拍動呈示スペクトル捕捉処理部８０は、例えば、後処理部６０が、フィルター後信号ｅに基づく拍動呈示スペクトルの特定に失敗したときに動作を開始することが好ましい。拍動呈示スペクトル捕捉処理部８０は、フィルタリング前の脈波信号ｄ（フィルタリングによる信号の減衰が生じないため、フィルター後信号よりも大きな信号値をもつ）に基づいて、例えば、過去の拍動信号の周波数傾向に基づく相関判定によって、拍動呈示スペクトルの捕捉を試みる。
【００７１】
脈波信号解析部４２は、脈波信号ｄの周波数スペクトルを解析し、脈波信号ｄの信号状態を評価し、また、拍動信号を示す拍動呈示スペクトルの周波数傾向情報４４や、周波数解析結果情報４５を取得する。脈波信号ｄの信号状態は、例えば、脈波信号ｄのノイズ量の程度（脈波信号ｄのきれいさの程度としてもよい）に基づいて評価される。脈波信号ｄのノイズ量の程度は、評価指標を用いて評価することができる。評価指標としては、主要な周波数スペクトルのスペクトル値の比（例えば、後述するｒ５，ｒ１０という指標）や、標準偏差ならびに偏差値のような統計情報（統計指標）を用いることができる（この点については後述する）。
【００７２】
放置検出部７０は、感度調整部６によって調整された脈波センサー１０の感度（ゲイン値）と、体動センサー２０から出力される体動センサー信号ｆと、に基づいて、拍動検出装置１００が、被検体から取り外されて放置されている放置状態にあることを検出する。
【００７３】
放置検出部７０は、回路状態判断部７２と、体動判断部７４と、脈波信号状態判断部７６と、放置状態判断部７８と、動作停止部８２とを含む。
【００７４】
回路状態判断部７２は、感度調整部６によって調整された脈波センサー１０の感度（ゲイン値）の情報に基づいて、回路状態（ここでは、脈波センサー１０に含まれる増幅器４の状態）を判断する。
【００７５】
体動判断部７４は、体動センサー信号ｆの信号値が、体動が有ると判断できる程度に大きいか否かを判断する。
【００７６】
脈波信号状態判断部７６は、脈波信号ｄの中に、所定閾値（ここでは第１閾値）以上の信号値をもつ有意なスペクトルがあるか否かを判断する。また、脈波信号状態判断部７６は、例えば、脈波信号解析部４２の解析結果を参照して、脈波信号ｄのノイズ量の程度（例えば、ノイズ少、中程度、ノイジー）を判断する。
【００７７】
放置状態判断部７８は、例えば、放置状態の判断のための条件が満足されるかを調べ、放置状態／非放置状態（装着状態）の判断を行う。
【００７８】
動作停止部８２は、放置状態判断部７８によって、拍動検出装置１００が放置状態にあると判断されたときに、過去の周波数傾向情報４４を破棄（例えば初期化）させることが好ましい。また、後処理部６０による拍動提示スペクトルの特定処理や、拍動呈示スペクトル捕捉処理部８０による拍動呈示スペクトル捕捉処理を停止させてもよい。また、被検体情報取得部９０による被検体情報（脈拍数や消費カロリー）の算出処理を停止させてもよい。
【００７９】
また、履歴格納部８４には、特定あるいは捕捉された拍動呈示スペクトルの周波数情報や、放置／非放置を示す情報、算出された被検体情報（脈拍数や消費カロリー）が、時系列で格納されている。格納されている情報は、各部が、必要に応じて参照可能である。
【００８０】
（放置検出部の動作等）
上述のように、放置検出部７０は、回路の状態を示す情報である、脈波センサー感度調整部６によって調整された脈波センサー１０の感度（ＧＮ）と、体動センサー２０から出力される体動センサー信号ｆと、に基づいて、拍動検出装置１００の放置状態を検出する。
【００８１】
ここで、図２（Ａ）および図２（Ｂ）を参照する。図２（Ａ）および図２（Ｂ）は、脈波センサーの感度調整動作を説明するための図である。図２（Ａ）は、シングル型の脈波センサーを示し、図２（Ｂ）は、ツイン型の脈波センサーを示している。
【００８２】
まず、図２（Ａ）に示される、シングル型の脈波センサー１０について説明する。シングル型の脈波センサー１０は、１個のセンサー構造Ｑを使用するタイプの脈波センサーである。
【００８３】
脈波センサー１０に含まれるセンサー構造Ｑは、例えば、ＬＥＤ等の光源１と、光源１の出力光Ｌ１が、被検体の所定部位（手首や指等）７における血管（生体情報源）９で反射して生じる反射光Ｌ２を受光して電気信号に変換する光電変換部（フォトダイオード：ＰＤ）２と、ドーム状の反射面３と、光透過性を有する基板（例えばガラス基板）５と、を有する。
【００８４】
光電変換部（ＰＤ）２の出力信号は、増幅器（例えば可変利得アンプ）４によって増幅される。脈波センサー１０の感度ＧＮは、増幅器４の増幅率（ゲイン）によって決定される。増幅器４のゲイン、すなわち、脈波センサー１０の感度ＧＮは、脈波センサー感度調整部（感度調整部）６によって調整する。感度調整部６は、例えば、増幅器４のゲインＧＮを自動調整するＡＧＣ回路（自動利得制御回路）によって構成される。感度調整部６は、脈波センサー１０の出力信号である脈波信号ｄのレベルが所定レベル（例えば一定）になるように、増幅器４のゲインＧＮを自動調整する。
【００８５】
拍動検出装置１００が被検体に装着されて、拍動検出処理が実行されている状態では、感度調整部６によって調整（設定）される感度（ＧＮ）は、血管９からの反射光Ｌ２を受光して生じる電気信号の大きさに対応した範囲内の値となっている。
【００８６】
これに対して、拍動検出装置１００が、被検体から取り外されて放置されている場合、感度は、通常の計測時に生じる範囲（許容範囲）から外れた値となっている可能性が高い。
【００８７】
すなわち、拍動検出装置１００が、例えば、机上に放置されているとき、室内の照明光や窓等から差し込む室外の光（これらを総称して外光Ｌ３ということができる）が、脈波センサーに入射することがある。外光Ｌ３は直接に拍動検出装置に入射されるが、拍動検出に使用される光は、血管で反射した反射光Ｌ２（散乱光でもあり、間接的に入射される光）である。よって、直接光である外光Ｌ３のレベルは、拍動検出に使用される反射光Ｌ２のレベルに比べて高いと考えられる。この場合には、増幅器４のゲイン（脈波センサー１０の感度ＧＮ）は、脈波信号ｄのレベルが大きくなり過ぎないように、十分に小さい値に調整される、例えば、最小のゲイン付近に調整される可能性がある。
【００８８】
また、拍動検出装置１００が、例えば、机の引き出しや鞄の中に収納されているような場合、外光Ｌ３はほとんど遮断されていることから、外光Ｌ３のレベルは零に近い。つまり、この場合には、外光のレベルが、拍動検出に使用される反射光のレベルに比べて十分に低い状態となる。この場合には、増幅器４のゲイン（脈波センサー１０の感度ＧＮ）は、脈波信号ｄのレベルを所定のレベルにするために、十分に大きな値に調整される可能性、例えば、最大のゲイン付近に調整される可能性がある。
【００８９】
つまり、拍動検出装置が放置状態にあるとき、脈波センサーに入射する光の強度（光のレベル）は、通常の検出処理時にはあり得ない範囲の強度（レベル）となる可能性がある。このとき、感度（ＧＮ）も、通常の計測時に生じる範囲（許容範囲）から外れた値となっている。よって、脈波センサー感度調整部によって設定された、脈波センサーの感度は、拍動検出装置の放置状態を検出するための有力な情報として使用することができる。
【００９０】
次に、図２（Ｂ）に示される、ツイン型の脈波センサーについて説明する。ツイン型の脈波センサーによれば、外光の影響を除去できるという効果が得られる。ツイン型の脈波センサーでは、図２（Ａ）に示されるセンサー構造Ｑを２個、使用する。
【００９１】
図２（Ｂ）に示されるツイン型の脈波センサー１０におけるセンサー構造Ｑａ，Ｑｂは、図２（Ａ）に示されるセンサーと同じ構造を有しており、構成要素には、同じ参照符号を付してある。但し、２個のセンサー構造（第１センサー構造Ｑａ，第２センサー構造Ｑｂ）を区別する必要があることから、参照符号にはａとｂの添え字を付している。なお、第２センサーＱｂにはＬＥＤ１ｂはなくてもよい。
【００９２】
図２（Ｂ）のツイン型の脈波センサー１０では、血管９ａの表面からの反射光Ｌ２ａを受光するのは、第１センサー構造Ｑａのみである。第２センサー構造Ｑｂは、外光Ｌ３ｂのみを受光する。また、図２（Ｂ）に示される脈波センサーでは、増幅器４として、差動増幅器が使用されている。第１センサー構造Ｑａの出力信号と第２センサー構造Ｑｂの出力信号は、差動増幅器４の各入力端子に入力される。このとき、各入力信号に含まれる外光Ｌ３に対応するノイズ成分は相殺されて除去される。
【００９３】
拍動検出装置１００が、例えば、机上に放置されているとき、第１センサー構造Ｑａおよび第２センサー構造Ｑｂに、かなり強い外光Ｌ３ａ、Ｌ３ｂが入射するものとする。この場合、増幅器（差動増幅器）４から出力される脈波信号ｄのレベルは、差動構成による外光成分の相殺の効果によってほとんど零になることから、感度調整部６は、脈波信号ｄのレベルを増大させようとし、この結果、増幅器４のゲイン（脈波センサー１０のＧＮ）は、十分に大きな値に調整される可能性、例えば、最大のゲイン付近に調整される可能性が高い。拍動検出装置１００が、例えば、机の引き出しの中や鞄の中に放置されているとき（外光Ｌ３のレベルが零に近いとき）も同様である。すなわち、脈波信号ｄのレベルは、差動構成による外光成分の相殺の効果によってほとんど零になることから、感度調整部６は、脈波信号ｄのレベルを増大させようとし、この結果、増幅器４のゲイン（脈波センサー１０の感度）は、十分に大きな値に調整される可能性、例えば、最大のゲイン付近に調整される可能性が高い。
【００９４】
このように、拍動検出装置が放置状態にあるとき、脈波センサー１０の感度（ＧＮ）は、通常の計測時に生じる範囲（許容範囲）から外れた値となっている可能性が高く、よって、感度調整部６によって設定された、脈波センサー１０の感度（ＧＮ）は、拍動検出装置の放置状態を検出するための有力な情報として使用することができる。
【００９５】
ここで、脈波センサー感度（ＧＮ）が、例えば、最大付近の値となっているときに、何らかの理由で外光Ｌ３に変化が生じて、光電変換部ＰＤからノイズが出力されたとする。この場合、このノイズは、高ゲインの増幅器４で増幅されることから、脈波信号ｄには、ある程度大きなノイズ成分が含まれることになる。
【００９６】
この脈波信号ｄを、周波数解析部５０に含まれる脈波信号解析部４２によって解析したとき、例えば、この脈波信号ｄに、偶然、過去の拍動信号と類似する周波数成分が含まれていた場合、ノイズと拍動信号との峻別がむずかしくなる。
【００９７】
図３は、拍動検出処理が実行されている状態のまま、拍動検出装置を被検体から取り外して机上に放置した場合の脈波信号および周波数スペクトルの一例を示す図である。図３の上側には、１６秒間のＦＦＴ前の脈波信号ｄの信号波形が示されている。横軸は時間を示し、縦軸は信号の振幅を示す。また、下側には、０から４Ｈｚの周波数帯域における周波数スペクトルが示されている。横軸は周波数を示し、縦軸は信号値（スペクトル値）を示す。
【００９８】
図３において、周波数スペクトルＳ１が、ノイズ成分の内の、過去の拍動信号と類似する周波数成分のスペクトルである。本実施形態では、放置検出部７０が拍動検出装置の放置を検出し、例えば、動作停止部８２が後処理部６０の動作を停止させる。よって、図３における周波数スペクトルＳ１が、拍動呈示スペクトルと判断されることがない。
【００９９】
また、拍動検出装置１００が放置状態にあるとき、体動センサー２０から出力される体動センサー信号(被検体の体動由来の信号）のレベルは、零とみなせる範囲内のレベルである可能性が高い（体動がないため）。
【０１００】
よって、本実施形態では、放置検出部７０は、脈波センサー１０の感度（感度ＧＮの値）と、体動センサー信号ｆとに基づいて、拍動検出装置１００の放置状態を判断することとした。例えば、感度が、通常の計測時に生じる範囲（許容範囲）から外れた値となっており、かつ、体動センサー信号ｆのレベルが、零とみなせる範囲内のレベル（つまり、体動無しとみなし得るレベル）であるとき、放置検出部７０は、拍動検出装置１００は放置状態にあると判断することができる。
【０１０１】
なお、体動センサー信号ｆのレベルが、零とみなせる範囲内のレベルであるか否かは、周波数分解（ＦＦＴ）前の体動センサー信号ｆの信号値に基づいて判断することができ、また、体動センサー信号ｆを周波数分解（ＦＦＴ）して得られる周波数スペクトルに基づいて判断することもできる。例えば、被検体が周期的な運動をしているのであれば、ＦＦＴの結果として得られる周波数スペクトルにおいて、体動信号に相当する大きなスペクトルが現れる。
【０１０２】
このように、本実施形態の放置検出部７０は、回路の状態を示す情報である、脈波センサー感度調整部６によって調整された脈波センサー１０の感度を参照し、さらに、体動センサー信号ｆの大きさの情報を併用して放置状態を判断することから、確度の高い放置状態の判断が可能である。また、特別な構成（例えば、装置本体への押圧力を検出したり、アース電位を検出したりする構成）を使用しないことから、拍動検出装置１００の構造が複雑化しない。また、拍動検出装置１００を小型化でき、ユーザビリティの高い拍動検出装置１００が実現される。
【０１０３】
また、放置検出部７０は、脈波センサー１０の感度、体動センサー信号ｆの大きさに加えて、さらに、周波数解析部５０（具体的には、脈波信号解析部４２）による、脈波信号ｄの周波数解析の結果を参照して、拍動検出装置１００の放置状態を判断してもよい。これにより、放置検出の精度が向上する。脈波信号解析部４２による、脈波信号ｄの周波数解析の結果に基づく放置状態の可能性の判断は、例えば、放置検出部７０に含まれる脈波信号状態判断部７６によって実行される。
【０１０４】
拍動検出装置１００が被検体に装着されていて、例えば、被検体が定常的な運動状態にあるとき、脈波センサー１０から出力される脈波信号ｄには、被検体の拍動に由来する拍動信号、ならびに被検体の体動に由来する信号成分が含まれる可能性が高い。
【０１０５】
脈波信号ｄを周波数分解して周波数スペクトルを解析したとき、周期性のある信号は、周波数軸上での特定の周波数位置に現れる。よって、例えば、所定の閾値（ここでは第１の閾値とする）よりも信号値が大きい周波数スペクトルが存在するときは、脈波信号状態判断部７６は、拍動検出装置１００が非放置状態にあると判断する。
【０１０６】
また、信号値が大きな拍動信号と信号値が大きな体動センサー信号とが併存している周波数スペクトルは、例えば、被検体が定常的（周期的）な運動状態（例えば、被検体が腕を規則的に振りながら一定のピッチでウォーキングしている状態）にあるときに現れる。つまり、この場合の体動センサー信号には、被検体の定常的な運動に由来する特徴的な体動信号が含まれることから、大きな体動センサー信号が観測される。よって、第１の閾値よりも信号値が大きい複数の信号が併存している周波数スペクトルが現れたときは、脈波信号状態判断部７６は、拍動検出装置１００が非放置状態にあると判断する。
【０１０７】
一方、脈波信号ｄの周波数解析の結果として得られる周波数スペクトルを第１の閾値と比較した結果、信号値が所定の閾値を超えるスペクトルが無い場合、すなわち、被検体の拍動や運動状態についての有効な情報をもつスペクトル（有意なスペクトル）がないときは、脈波信号状態判断部７６は、拍動検出装置１００は放置状態にあると判断する。
【０１０８】
このように、周波数解析部５０（具体的には、脈波信号解析部４２）による、脈波信号の周波数解析の結果も参照して放置状態を判断することによって、放置状態判断部７８による、放置状態／非放置状態の判断の精度を高めることができる。
【０１０９】
放置検出部７０に含まれる放置状態判断部７８は、上述の複数の条件が満たされるか否かという観点から、拍動検出装置１００の放置／非放置を、総合的に判断する。
【０１１０】
例えば、放置検出部７０は、脈波センサー１０の感度が、拍動信号が検出されているときに取り得る許容範囲の外の値であり、体動センサー２０から出力される体動センサー信号ｆのレベルが、被検体の体動が無いと判断される範囲内にあり、かつ、脈波信号ｄの周波数解析の結果として得られる周波数スペクトルに第１の閾値以上のスペクトルが無い場合に、拍動検出装置１００は放置状態にあると判断してもよい。この場合、特別な構成を使用することなく、拍動検出装置１００の放置状態を高い確度で検出することができる。
【０１１１】
また、拍動検出装置１００の放置状態の検出に際して、上述の、「脈波信号の周波数解析の結果として得られる周波数スペクトルに第１の閾値以上のスペクトルが無い」という条件を、「脈波信号の周波数解析の結果として得られる周波数スペクトルに基づいて、脈波信号のノイズ量の程度を、例えばノイズ少、中程度ならびにノイジーに分類したとき、中程度またはノイジーに分類される」という条件に置換することもできる。
【０１１２】
脈波信号ｄのノイズ量の程度が「ノイズ少」と判断される場合としては、例えば、被検体が定常的（周期的）な運動状態（例えば、規則的な腕振りをしながらウォーキングをしている）にあるときが該当する。
【０１１３】
脈波信号ｄのノイズ量の程度が「中程度（まあまあ）」と判断される場合としては、例えば、被検体が定常的運動をしている（例えば、規則的な腕振りをしながらウォーキングをしている）が、手首を不規則に動かす等の非周期的な運動も行っているときが該当する。このような場合の周波数スペクトルは、「所定閾値よりも信号値が大きな拍動信号および体動センサー信号が併存し、さらに、外乱ノイズが周波数軸上で広範囲にわたって存在する」というようなスペクトルとなる。
【０１１４】
脈波信号ｄのノイズ量の程度が「ノイジー」と判断される場合は、例えば、被検体が、不規則な体操やバスケットボール等の球技を行っているときが該当する。この場合、例えば、脈波信号の周波数スペクトルにおいて、周波数軸上の広範囲な位置に、外乱ノイズ判断用の所定閾値を超える信号値をもつ外乱ノイズが現れることが多い。
【０１１５】
なお、脈波信号ｄのノイズ量の程度の評価と、被検体の運動状態との関係については、図４を用いて後述する。
【０１１６】
上記の３分類の中で、少なくとも、脈波信号ｄの状態が「ノイズ少」である場合は、拍動検出装置１００は、被検体に装着され、非放置である可能性が極めて高い。但し、脈波信号ｄの状態が「中程度」あるいは「ノイジー」の場合は、「拍動検出装置１００が放置状態で、かつ、何らかの理由で大きなノイズが生じた場合」も想定できる。
【０１１７】
よって、放置検出部７０は、脈波センサー１０の感度（ＧＮ）が、拍動信号が検出されているときに取り得る許容範囲の外の値であり、体動センサーから出力される体動センサー信号ｆのレベルが、被検体の体動が無いと判断される範囲内にあり、かつ、脈波信号のノイズ量の程度が、中程度またはノイジーに分類される場合に、拍動検出装置１００は放置状態にあると判断することが好ましい。なお、脈波信号ｄのノイズ量の程度は、例えば、主要なスペクトルの中から選ばれる２本のスペクトルの信号値の比や、統計情報（標準偏差と偏差値等）を指標として用いて判断することができる。
【０１１８】
脈波信号ｄの信号状態も考慮して放置／非放置の判断を行うことで、特別な構成を使用することなく、拍動検出装置の放置状態を、より高い確度で検出することができる。また、放置検出部７０は、被検体が、例えば、安静状態（非定常運動要素無し）にあるときと、拍動検出装置が放置状態にあるときとを区別することができる。
【０１１９】
ここで、図４（Ａ）〜図４（Ｃ）を参照する。図４（Ａ）〜図４（Ｃ）は、脈波信号に含まれる外乱ノイズに着目した脈波信号のノイズ量の程度の評価例と、各評価例に対応する運動状態の評価例を示す図である。
【０１２０】
図４（Ａ）〜図４（Ｃ）において、上側には、１６秒間のＦＦＴ前の脈波信号ｄの信号波形が示されている。横軸は時間を示し、縦軸は信号の振幅を示す。また、下側には、０から４Ｈｚの周波数帯域における周波数スペクトルが示されている。横軸は周波数を示し、縦軸はスペクトル値を示す。
【０１２１】
脈波信号のノイズ量の程度の評価は、評価指標を用いて評価することができる。例えば、脈波信号ｄの周波数分解によって得られる周波数スペクトルのうちの、最大のスペクトル値を示す第１スペクトルと、第１スペクトル以外の、少なくとも１つの第２スペクトルとのスペクトル値の比であるスペクトル比を算出し、これを評価指標とすることができる。
【０１２２】
図４（Ａ）〜図４（Ｃ）の例では、外乱ノイズ量の程度を推定する指標として、主要な周波数スペクトルのスペクトル値の比（つまり、基線の高さの比）を用いる。具体的には、ｒ５およびｒ１０という指標を用いる（ただし、一例であり、他の統計的指標、例えば、標準偏差等を用いてもよい）。ここで、ｒ５とは、１６秒分の脈波信号の周波数スペクトルの中から、ピーク値の大きさの順に５本のスペクトルを並べたとき（つまり、ソーティングしたとき）、第１番目のスペクトルのスペクトル値（パワー）を分母とし、第５番目のスペクトルのスペクトル値（パワー）を分子とすることによって得られる指標である。
【０１２３】
また、ｒ１０とは、１６秒分の脈波信号の周波数スペクトルの中から、ピーク値の大きさの順に１０本のスペクトルを並べたとき（つまりソーティングしたとき）、第１番目のスペクトルのスペクトル値（パワー）を分母とし、第１０番目のスペクトルのスペクトル値（パワー）を分子とすることによって得られる指標である。指標ｒ５，ｒ１０は、例えば、脈波信号解析部４２によって取得される。
【０１２４】
脈波信号解析部４２は、脈波信号ｄの周波数解析結果に基づいて、指標ｒ５およびｒ１０を算出し、指標ｒ５、ｒ１０を所定の閾値と比較し、その比較結果によって、脈波信号ｄのノイズ量の程度を評価し、この評価の結果、図４（Ａ）〜図４（Ｃ）のように、脈波信号ｄの状態を判別する。
【０１２５】
ここでは、一例として、ｒ５＜０．５かつｒ１０＜０．２のときをノイズ少（脈波信号のきれいさの程度がきれい）とし、ｒ５＞０．７かつｒ１０＞０．５のときをノイズ多（ノイジー）とし、上記いずれでもない場合をノイズが中程度（まあまあ）とする。
【０１２６】
図４（Ａ）の例では、ｒ５＝０．１４かつｒ１０＝０．０８であることから、外乱ノイズ少（きれい）と判断される。また、図４（Ｂ）の例では、ｒ５＝０．５６かつｒ１０＝０．３５であることから、外乱ノイズが中程度（まあまあ）と判断される。図２（Ｃ）の例では、ｒ５＝０．８２かつｒ１０＝０．６２であることから、ノイズ多（ノイジー）と判断される。
【０１２７】
図４（Ａ）〜図４（Ｃ）の各々の比較から明らかなように、脈波信号ｄの波形と周波数スペクトルとは密接に関連しており、脈波信号ｄの波形に対応して、周波数スペクトルの分布状態やスペクトル値が変化する。よって、ＦＦＴによって得られる周波数スペクトルに基づいて、脈波信号ｄに重畳する外乱ノイズの状態（外乱ノイズ量の程度）を推定（評価）することが可能である。
【０１２８】
また、被検体の運動状態も、上述の指標ｒ５、ｒ１０を用いて推定することができる。被検体の運動状態によって脈波信号ｄの波形が変化すると、その変化は、周波数スペクトルの変化となって現れ、周波数スペクトルの変化は、指標ｒ５，ｒ１０に反映されるからである。
【０１２９】
例えば、図４（Ａ）の例では、被検体は、定常的運動状態（非定常運動要素無し）、あるいは、安静状態（非定常運動要素無し）と判断される。例えば、被検体が一定のピッチで歩行しており、かつ、手首をランダムに動かすといった非周期的な動作をしていない場合が該当する。また、安静状態（非定常運動要素無し）の場合としては、被検体がベッドに横になっており、かつ、手首をランダムに動かすような非周期的な動作をしていない場合が考えられる。
【０１３０】
図４（Ｂ）の例では、被検体は、定常的運動状態（非定常運動要素有り）、あるいは、安静状態（非定常運動要素有り）と判断される。定常的運動状態（非定常運動要素有り）の場合としては、例えば、被検体が一定のピッチで歩行しており、かつ、手首をランダムに動かすといった非周期的な動作をしている場合が考えられる。また、安静状態（非定常運動要素有り）の場合としては、被検体がベッドに横になっているが、手首をランダムに動かしている場合が考えられる。
【０１３１】
図４（Ｃ）の例では、被検体は、非定常的運動状態と判断される。被検体が周期性をもたない動作を行っている場合であり、例えば、被検体が体操をする、被検体がバスケットボールをする、といった場合が該当する。
【０１３２】
このように、脈波信号ｄのノイズ量の程度の評価（信号状態の評価）に基づいて、被検体の運動状態を判断してもよい。
【０１３３】
次に、一旦、放置状態が検出された後、その後、放置状態が解除されたか否かを判断する例、すなわち、放置状態が解除されたことの判断の例について説明する。
【０１３４】
放置検出部７０は、所定時間毎（例えば４秒毎）に放置検出を実行する。ここで、前回の検出処理によって放置状態と判断され、かつ今回の検出処理によって非放置状態と判断された場合を想定する。このとき、直ちに放置状態が解除された（放置状態から装着状態に移行した）と判断するのは、判断を誤る可能性が高い。
【０１３５】
例えば、拍動検出装置１００が机上に放置されている状態において、近くを人が通過したことによって、脈波センサー１０に入射する光の強度が偶然、変動し、あたかも拍動検出装置１００が被検体に装着されたかに見える場合もあり得る。
【０１３６】
したがって、一旦、放置状態であると判断され、次に、非放置状態（装着状態）と判断されたときは、放置検出部７０は、さらに、追加の条件による判断を実行することが好ましい。例えば、「脈波信号ｄの周波数解析の結果として得られる周波数スペクトルに所定の閾値（ここでは第２の閾値）以上の（大きさの）スペクトルが有るか否か」を調べ、有る場合には非放置状態と判断し、無い場合には放置状態と判断することが好ましい。
【０１３７】
このように、放置状態が解除されたことの判断に際して、条件を加重し、より慎重に判断することによって、判断を誤る可能性が低減される。
【０１３８】
次に、放置検出部７０によって、放置状態が検出されたときに取り得る対策について説明する。
【０１３９】
拍動信号の検出は、過去の周波数解析結果や、過去の拍動信号の周波数傾向等に基づいて行われる。この点を考慮して、放置検出部７０は、今回の検出によって拍動検出装置１００の放置状態が検出されると、脈波信号解析部４２に蓄積されている、過去の脈波信号ｄの周波数解析結果情報４５および脈波信号ｄの周波数解析に使用される拍動信号の周波数の傾向を示す情報（周波数傾向情報）４４の少なくとも一方を破棄させる（例えば初期化させる、情報を削除する等）ことが好ましい。より好ましくは、双方の情報４４，４５を破棄させるのがよい。
【０１４０】
これによって、放置されていた拍動検出装置１００が、被検体に再び装着された場合、拍動検出装置１００は、例えば初期状態から拍動検出処理を開始することができる。よって、拍動信号を正確に検出することができる。
【０１４１】
また、放置検出部７０は、拍動検出装置１００の放置状態が検出されたときは、被検体情報取得部（脈拍数・消費カロリー算出部：被検体の生体情報、および被検体の運動に関する付随的情報の少なくとも一方を算出する機能をもつ）の動作を停止させてもよい。これによって、無駄な電力消費が生じない。また、誤った情報の表示（広義には報知）も防止される。
【０１４２】
なお、「被検体情報取得部の動作を停止させる」ことには、例えば、情報取得動作を行わせないこと、あるいは、被検体情報取得部９０の電源をオフにして、動作自体ができないようにすることを含む。電源をオフする方が消費電力の削減効果が高い。
【０１４３】
また、拍動検出装置１００が放置状態にあるときに、周波数解析を実行したとしても、有意な周波数スペクトルを得ることはできない。そこで、放置検出部７０は、拍動検出装置１００の放置状態が検出されたときは、周波数解析部５０による周波数解析動作を停止させることが好ましい。これによって、無駄な電力消費が生じない。また、誤った情報の表示（広義には報知）も防止される。なお、「周波数解析部の周波数解析動作を停止させる」ことには、例えば、周波数解析処理を行わせないこと、あるいは、周波数解析部５０の周波数解析処理を実行する部分の電源をオフにして、動作自体ができないようにすることを含む。電源をオフする方が消費電力の削減効果が高い。
【０１４４】
図１の例では、拍動検出装置の放置状態が検出されたとき、放置検出部７０に含まれる動作停止部８２が、後処理部６０、拍動呈示スペクトル捕捉処理部８０ならびに被検体情報取得部（脈拍数・消費カロリー算出部）９０の動作を停止させる。
【０１４５】
次に、拍動検出装置１００の、放置検出処理を含む処理フローについて説明する。図５は、拍動検出装置における、放置検出処理を含む処理フローの一例を示すフローチャートである。
【０１４６】
まず、脈波センサー１０によって、脈波信号ｄが取得される（ステップＳＴ１）。次に、脈波信号ｄに対して、フィルター部３０によってフィルタリング処理が施される（ステップＳＴ２）。次に、周波数解析部５０によって周波数解析処理が実行される（ステップＳＴ３）。具体的には、拍動呈示スペクトルを検出するための処理（拍動呈示スペクトル特定処理や拍動呈示スペクトルの捕捉処理）が実行される。
【０１４７】
次に、放置検出部７０による放置検出処理が実行される（ステップＳＴ４）。ステップＳＴ４においてＮのときは、被検体情報取得部９０によって、被検体情報の取得処理（脈拍数や消費カロリーの算出処理等）が実行され（ステップＳＴ５）、続いて、被検体情報が表示（報知）される（ステップＳＴ６）。
【０１４８】
また、ステップＳＴ４でＹのときは、周波数解析処理（拍動呈示スペクトル特定処理や拍動呈示スペクトルの捕捉処理）が停止され、また、被検体情報（脈拍数や消費カロリー
）の取得処理が停止される（ステップＳＴ７）。続いて、周波数解析結果（過去の周波数解析情報）が破棄（初期化等）される（ステップＳＴ８）。続いて、脈波信号周波数解析用の周波数傾向情報（周波数トレンド情報）が破棄（初期化等）される（ステップＳＴ９）。
【０１４９】
次に、放置検出処理の処理フローについて説明する。図６は、放置検出処理の処理フローの一例を示すフローチャートである。
【０１５０】
まず、放置検出部７０に含まれる回路状態判断部７２が、脈波センサー１０の感度を取得する（ステップＳＴ１０）。次に、放置検出部７０に含まれる放置状態判断部７８は、前回（所定時間、例えば４秒前）の検出にて、放置状態と判定されているかを判断する（ステップＳＴ１１）。ステップＳＴ１１の判断結果に応じて、感度の大きさを判断するための閾値のレベルを変更する。閾値のレベルとしては第１レベルと第２レベルとがある（第１レベル＜第２レベルである）。
【０１５１】
すなわち、ステップＳＴ１１において、Ｙのときは感度の大きさを判断するための閾値を、第１レベルに設定し（ステップＳＴ１２）、Ｎのときは閾値を、第２レベル（第２レベル＞第１レベル）に設定する（ステップＳＴ１３）。ステップＳＴ１１にてＹのときは、次のステップにて、放置状態が継続しているか否かの判断が必要となる。よって、より慎重に判断するのが好ましい。よって、ステップＳＴ１１において、Ｙのときは、閾値のレベルを引き下げて、次のステップＳＴ１４の判断にて、脈波センサーの感度が、何らかの原因で多少、変動したとしても、その変動に追従することなく、確実に放置状態と判断できるようにしている。
【０１５２】
上述のとおり、拍動検出装置１００が放置状態にあるとき、脈波センサー１０の感度（ＧＮ）は、通常計測時にはとり得ない範囲の値となっている可能性が高い。特に、感度が最大付近であるときには、増幅器４のゲインが高いことから、ノイズが大きく増幅され、誤検出の可能性が高まる。よって、ステップＳＴ１４は、脈波センサー１０の感度が、閾値を超えているか、つまり、感度（増幅器４のゲイン値）が、通常の範囲外の大きい値となっているかを検出する。なお、ＳＴ１４に図示していないが、感度（増幅器４のゲイン値）が、通常の範囲外の小さい値となっているかを検出してもよい。
【０１５３】
ステップＳＴ１４にて、Ｙのときは、放置状態である可能性があるため、次に、放置検出部７０に含まれる脈波信号状態判断部７６は、脈波信号ｄのノイズ量の程度に基づく判断を実行し、脈波信号ｄの状態が、「ノイズ少」以外であるか、を判断する（ステップＳＴ１５）。Ｙならば、放置状態である可能性があるため、次に、脈波信号状態判断部７６は、脈波信号ｄのＦＦＴ結果（周波数スペクトル）に、所定閾値（脈波信号の状態判断のための閾値）以上のスペクトルが存在しないか、を判断する（ステップＳＴ１６）。Ｙならば、放置状態である可能性があるため、次に、放置検出部７０に含まれる体動判断部７４は、体動センサー２０（ここでは加速度センサーであるとする）から得られる体動センサー信号（つまり加速度信号）ｆのふれ幅（振幅あるいは信号値（スペクトル値））が、所定閾値（加速度信号の大きさ判断のための閾値）よりも小さいかを判断する（ステップＳＴ１７）。加速度信号として、Ｘ軸方向加速度信号、Ｙ軸方向加速度信号ならびにＺ軸方向加速度信号が含まれる場合には、例えば、３つの加速度信号がすべて、閾値より小さいかを判断することができる。
【０１５４】
ステップＳＴ１７で、Ｙならば、放置検出部７０に含まれる放置状態判断部７８は、拍動検出装置１００は放置状態にあると判断する（ステップＳＴ１８）。
【０１５５】
また、ステップＳＴ１４〜ステップＳＴ１７のいずれかでＮの場合、放置状態判断部７８は、拍動検出装置１００は非放置状態（装着状態）にあると判断する（ステップＳＴ１９）。なお、以上の処理フローは一例であり、これに限定されるものではない。
【０１５６】
図７（Ａ）および図７（Ｂ）は、図６の処理フローのステップＳＴ１６において、Ｙと判断される例、ならびにＮと判断される例を示す図である。
【０１５７】
図７（Ａ）および図７（Ｂ）において、上側には、１６秒間のＦＦＴ前の脈波信号ｄの信号波形が示されている。横軸は時間を示し、縦軸は信号の振幅を示す。また、下側には、０から４Ｈｚの周波数帯域における周波数スペクトルが示されている。横軸は周波数を示し、縦軸はスペクトル値を示す。
【０１５８】
上述のとおり、図６の処理フローのステップＳＴ１６では、脈波信号状態判断部７６は、脈波信号ｄのＦＦＴ結果（周波数スペクトル）に、所定閾値（脈波信号の状態判断のための閾値）以上のスペクトルが存在しないか、を判断する。図７（Ａ）および図７（Ｂ）の例では、この所定閾値として、Ｖｔｈ１を使用している。図７（Ａ）の例では、閾値Ｖｔｈ１を超える信号値（スペクトル値）をもつスペクトルは存在しない。これに対して、図７（Ｂ）の例では、閾値Ｖｔｈ１を超える信号値（スペクトル値）をもつスペクトルＳ２が存在する。したがって、図７（Ａ）の例では、図６の処理フローのステップＳＴ１６において、Ｙと判断される。また、図７（Ｂ）の例では、ステップＳＴ１６において、Ｎと判断される。
【０１５９】
図８（Ａ）および図８（Ｂ）は、図６の処理フローのステップＳＴ１７において、Ｙと判断される例、ならびにＮと判断される例を示す図である。
【０１６０】
図８（Ａ）および図８（Ｂ）において、上側には、１６秒間のＦＦＴ前の体動センサー信号ｆの信号波形が示されている。横軸は時間を示し、縦軸は信号の振幅を示す。また、下側には、０から４Ｈｚの周波数帯域における周波数スペクトルが示されている。横軸は周波数を示し、縦軸はスペクトル値を示す。
【０１６１】
上述のとおり、図６の処理フローのステップＳＴ１７では、放置検出部７０に含まれる体動判断部７４は、体動センサー２０（ここでは加速度センサーであるとする）から得られる体動センサー信号（つまり加速度信号）ｆのふれ幅（振幅あるいは信号値（スペクトル値））が、所定閾値（加速度信号の大きさ判断のための閾値）よりも小さいかを判断する。
【０１６２】
図８（Ａ）および図８（Ｂ）の例では、この所定閾値として、Ｖｔｈ２を使用している。図８（Ａ）の例では、閾値Ｖｔｈ２を超える信号値（スペクトル値）をもつスペクトルは存在しない。これに対して、図８（Ｂ）の例では、閾値Ｖｔｈ２を超える信号値（スペクトル値）をもつスペクトルＳ３、Ｓ４およびＳ５が存在する。したがって、図８（Ａ）の例では、図６の処理フローのステップＳＴ１７において、Ｙと判断される。また、図８（Ｂ）の例では、ステップＳＴ１７において、Ｎと判断される。
【０１６３】
次に、拍動検出装置による、脈拍の計測例について説明する。図９は、拍動検出装置による、脈拍の計測例を示す図である。図９の横軸は、計測開始からの経過時間を示し、縦軸は、計測された脈拍数（回／分）を示す。
【０１６４】
図９の例では、被検体（ユーザー）が手首に拍動検出装置１００を装着し、計測開始後２０秒経過時点から歩行（ウォーキング）を開始する。この歩行は、計測開始後１６４秒まで継続される。次に、被検体は、拍動検出装置１００を手首から取り外し、机上に放置する。すなわち、計測開始後、１６４秒〜４４４秒までの期間は、拍動検出装置１００が放置状態になっている期間である。この期間中、被検体は動かず、起立状態を維持する。
【０１６５】
計測開始後４４４秒が経過した時点で、被検体は、再び拍動検出装置１００を手首に装着する。再装着時は、被検体は動いておらず、起立した状態である。
【０１６６】
図９の例では、放置検出部７０が放置検出処理を行う場合において計測される脈拍数の推移が実線で示されている。また、放置検出部７０が放置検出処理を行わない場合（比較例）において計測される脈拍数の推移が波線で示されている。拍動信号に基づく脈拍数の検出は、４秒毎に（つまり４秒に１回）実行され、放置検出部７０による放置検出処理も、同様に４秒毎に行われる。
【０１６７】
図９において、脈拍数が零（脈拍数＝０）である箇所が存在する。脈拍数が零であるということは、脈拍数が算出されなかったことを意味する。この原因としては、脈波信号ｄの周波数解析結果、例えば、拍動信号に対応した有意な信号スペクトルがあるとは認められず、拍動検出に失敗したことが考えられ、あるいは、放置検出の結果として、脈拍数の算出処理が停止されたことが考えられる。
【０１６８】
図９の例では、放置検出部７０が、放置検出を行わないとき（比較例の場合）、拍動検出装置１００が放置状態となっている期間（計測開始後１６４秒〜４４４秒の期間）のほとんどで、脈拍数が計測されている。すなわち、１０５〜１１５程度の脈拍数が計測され続けている。当然のことながら、この脈拍数は誤った脈拍数であり、計測の意味は失われている。放置状態であっても、周波数解析部５０が、拍動信号の、過去の周波数傾向情報を参照するなどして、拍動信号の検出処理を続行することから、このような結果となった。
【０１６９】
一方、放置検出部７０が放置検出処理を実行する場合には、拍動検出装置１００が放置状態となっている期間（計測開始後１６４秒〜４４４秒の期間）では、脈拍数は零となっている。また、計測開始後４４４秒が経過した時点で、被検体が再び拍動検出装置１００を手首に装着すると、拍動検出装置１００は、起立状態の被検体の脈拍数（約８０）を正しく計測している。比較例では、計測開始後４４４秒が経過した時点で、１０５〜１１５程度の脈拍数を計測しており、正しい脈拍数を計測できていない。
【０１７０】
上述のとおり、放置検出部７０によって、放置状態と判断された場合、過去の周波数解析結果や、拍動信号の周波数傾向情報は破棄される。よって、被検体が再び拍動検出装置１００を手首に装着したとき（計測開始後４４４秒が経過したとき）、拍動検出装置１００は、例えば、初期状態から脈拍数の検出を開始でき、よって、過去の誤った情報に追従することなく、正しい脈拍数を計測することができる。
【０１７１】
このように、本実施形態によれば、例えば、拍動検出装置が放置状態にあることを検出することができる。また、例えば、特別な構成を使用することなく、拍動検出装置の放置状態を高い確度で検出することができる。
【０１７２】
例えば、本実施形態の拍動検出装置１００は、被検体が安静／就寝中のときと、拍動検出装置１００が放置されているときとを区別できることから、確度の高い放置検出（放置／非放置の判断）が可能である。
【０１７３】
また、放置状態が継続されているときに、例えば、拍動検出装置１００に入射する外光の強度が変動してノイズが入力された場合に、放置検出部７０は、放置状態が解除されたか否かを慎重に判断する（例えば、脈波信号の解析結果等を加味して判断する）ことから、誤った判断（装着状態への復帰判断）がなされる可能性が低減される。
【０１７４】
また、拍動検出装置１００が放置状態にあるときは、脈拍数や消費カロリーの算出（被検体情報の取得）や表示を停止することから、誤った計測結果の表示が防止され、また、拍動検出装置１００の省電力化が実現される。拍動検出装置１００が省電力化されれば、拍動検出装置１００を用いた、より長時間の連続した脈拍検出等が可能となる。
【０１７５】
図１０（Ａ）および図１０（Ｂ）は、拍動検出装置の、被検体への装着例を示す図である。
【０１７６】
図１０（Ａ）の例は、腕時計型の拍動検出装置の例である。脈波センサー１０および表示部９４を含むベース部４００は、リストバンド３００によって、被検体（ユーザー）の左手首２００に装着されている。
【０１７７】
図１０（Ｂ）の例は、指装着型の拍動検出装置の例である。被検体の指先に挿入するためのリング状のガイド３０２の底部に、脈波センサー１０が設けられている。
【０１７８】
なお、上記のように本実施形態について詳細に説明したが、本発明の新規事項及び効果から実体的に逸脱しない多くの変形が可能であることは当業者には容易に理解できるであろう。従って、このような変形例はすべて本発明の範囲に含まれるものとする。また、明細書又は図面において、少なくとも一度、より広義又は同義な異なる用語と共に記載された用語は、明細書又は図面のいかなる箇所においても、その異なる用語に置き換えることができる。
【符号の説明】
【０１７９】
６  脈波センサー感度調整部、１０  脈波センサー、
１１  体動センサー（加速度センサーやジャイロセンサー等）、
１２  脈波信号蓄積部、３０  フィルター部、３４  体動成分除去フィルター、
４０（４０ａ〜４０ｃ）  周波数分解部、４２  脈波信号解析部、
４４  周波数傾向情報、４５  周波数解析結果情報、５０  周波数解析部、
６０  後処理部、６２  ピーク順ソート部、６４  相関判定部、
６６  拍動／体動分離部（拍動／ノイズ分離部）、６８  拍動呈示スペクトル特定部、
７０  放置検出部、７２  回路状態判断部、７４  体動判断部、
７６  脈波信号状態判断部、７８  放置状態判断部、
８０  拍動呈示スペクトル捕捉処理部、８２  動作停止部、８４  履歴格納部、
９０  被検体情報取得部（脈拍数・消費カロリー算出部）、９２  表示処理部、
９４  表示部、１００  拍動検出装置
【図１】
0005682369.tif 000002
【図２】
0005682369.tif 000003
【図３】
0005682369.tif 000004
【図４】
0005682369.tif 000005
【図５】
0005682369.tif 000006
【図６】
0005682369.tif 000007
【図７】
0005682369.tif 000008
【図８】
0005682369.tif 000009
【図９】
0005682369.tif 000010
【図１０】
0005682369.tif 000011